(57)【要約】      （修正有）【課題】万一脱落しても患者（特に小児）が飲み込まないリストバンド用クリップを提供する。【解決手段】両端にバンド穴が形成された樹脂製のリストバンド用クリップ１０で、オスクリップ本体１２と、メスクリップ本体１４と、両者を折り畳み可能に連結するヒンジ１６と、オスクリップ本体に形成され、バンド穴が通されるピン１８と、その頂部に形成される傘状の頭部２２と、ピンの外周に放射状に形成され、ピンに通されたバンド穴の周縁に係合して抜け止めする係止片２４と、メスクリップ本体に形成され、ピンが収容される収容孔３０と、その内部に形成され、ピンの挿入方向に凸となるように膨出して形成される半球状のフラップ部３２と、その中央に形成され、ピンの外径と略同じ径で形成されるピン孔３４と、フラップ部に放射状に形成され、フラップ部の弾性変形によるピン孔の拡縮を可能にするスリット３６とからなり、樹脂に苦味成分が配合されている。【選択図】図１
2020005926.tif 000002
【特許請求の範囲】
【請求項１】
両端にバンド穴が形成されたリストバンドを環状に巻き止める、樹脂製のリストバンド用クリップであって、
オスクリップ本体と、
メスクリップ本体と、
前記オスクリップ本体と前記メスクリップ本体とを折り畳み可能に連結するヒンジと、
前記オスクリップ本体に形成され、前記バンド穴が通されるピンと、
前記ピンの頂部に形成される傘状の頭部と、
前記ピンの外周に放射状に形成され、前記ピンに通された前記バンド穴の周縁に係合して抜け止めする係止片と、
前記メスクリップ本体に形成され、前記ピンが収容される収容孔と、
前記収容孔の内部に形成され、前記ピンの挿入方向に凸となるように膨出して形成される半球状のフラップ部と、
前記フラップ部の中央に形成され、前記ピンの外径と略同じ径で形成されるピン孔と、
前記フラップ部に放射状に形成され、前記フラップ部の弾性変形による前記ピン孔の拡縮を可能にするスリットと、
からなり、前記樹脂に、苦味成分が配合されている、リストバンド用クリップ。
【請求項２】
前記苦味成分が、安息香酸デナトニウムまたはサッカリンデナトニウムである、請求項１に記載のリストバンド用クリップ。
【請求項３】
前記苦味成分が、前記樹脂１００重量部に対して０．０２５〜０．１００重量部配合されている、請求項１または２に記載のリストバンド用クリップ。
【請求項４】
前記樹脂にさらに抗菌剤が配合されている、請求項１〜３のいずれかに記載のリストバンド用クリップ。
【請求項５】
前記樹脂が、ポリエチレン、ポリプロピレン、ポリ塩化ビニル、ポリスチレン、ポリ酢酸ビニル、アクリロニトリル−ブタジエン−スチレン樹脂、アクリロニトリル−スチレン樹脂、アクリル樹脂、ポリテトラフルオロエチレン、およびこれらの混合物からなる群より選択される、請求項１〜４のいずれかに記載のリストバンド用クリップ。
【発明の詳細な説明】
【技術分野】
【０００１】
本発明はリストバンド用クリップに係り、特に両端にバンド穴が形成されたリストバンドを環状に巻き止めるためのリストバンド用クリップに関する。
【背景技術】
【０００２】
病院では、患者の取り違えなどのミスを防止するため、患者の名前などの情報が印字されたリストバンドを患者の手首（あるいは足首）に装着して、患者を管理することが行われている。
【０００３】
この種のリストバンドは、通常、プリンタで印字することができるように帯状に形成され、印字後は専用のクリップ（リストバンド用クリップ）を用いて手首に装着される。リストバンド用クリップは、ピンが形成されたオスクリップと、ピン孔が形成されたメスクリップとで構成され、オスクリップに形成されたピンをリストバンドの両端に形成されたバンド穴に通し、メスクリップに形成されたピン孔に嵌めることにより、リストバンドを環状に巻き止める。
【０００４】
ところで、病院などで使用されるリストバンドは、容易に外せる構成であると、患者の身体を傷つけたり、小児が誤飲するなどの重大な医療事故に発展するおそれがある。したがって、一度装着したリストバンドは、ハサミ等で切断しない限り外せない構成とする必要がある。一方、リストバンド用クリップも、一度ピンをピン孔に嵌めたら、抜けにくい構造とすべきである。
【０００５】
特許文献１は、リストバンドに取り付けやすく、また、取り付けたことを確実に了知し得るリストバンド用クリップを提供している。特許文献１のリストバンド用クリップは、ピンの頭部がピン孔を通過した後に、フラップ部の撓みを解消してピンを打つ際の音が発生することにより、ピンがピン孔に嵌まったことを了知できる仕組みになっている。ピンがピン孔にきちんと嵌まれば、ピンは抜けにくい構造になっているため、その後の重大事故は発生しにくいと考えられる。
【先行技術文献】
【特許文献】
【０００６】
【特許文献１】特許第５７２６４８６号
【発明の概要】
【発明が解決しようとする課題】
【０００７】
このように、リストバンドに取り付けやすく、かつ取り付けたことを確実に了知できる仕組みのリストバンド用クリップであっても、温度、湿度等の環境の変化や、強い力が加わるなどの条件が重なることにより、クリップが外れてしまうことは充分想定しておかなければならない。その際に、外れたクリップは、患者が誤飲しないものにしておく必要がある。
【０００８】
本発明はこのような事情に鑑み、万一脱落しても患者（特に小児）が飲み込まないようなリストバンド用クリップを提供することを目的とする。
【課題を解決するための手段】
【０００９】
前記の目的を達成するために、両端にバンド穴が形成されたリストバンドを環状に巻き止める、樹脂製のリストバンド用クリップを提供する。リストバンド用クリップは、オスクリップ本体と、メスクリップ本体と、前記オスクリップ本体と前記メスクリップ本体とを折り畳み可能に連結するヒンジと、前記オスクリップ本体に形成され、前記バンド穴が通されるピンと、前記ピンの頂部に形成される傘状の頭部と、前記ピンの外周に放射状に形成され、前記ピンに通された前記バンド穴の周縁に係合して抜け止めする係止片と、前記メスクリップ本体に形成され、前記ピンが収容される収容孔と、前記収容孔の内部に形成され、前記ピンの挿入方向に凸となるように膨出して形成される半球状のフラップ部と、前記フラップ部の中央に形成され、前記ピンの外径と略同じ径で形成されるピン孔と、前記フラップ部に放射状に形成され、前記フラップ部の弾性変形による前記ピン孔の拡縮を可能にするスリットと、からなり、前記樹脂に、苦味成分が配合されていることを特徴とする。
【発明の効果】
【００１０】
本発明のリストバンド用クリップは、万一脱落しても、小児が誤って飲み込む事故を防止することができる。
【図面の簡単な説明】
【００１１】
【図１】本発明に係るリストバンド用クリップの一実施形態を表す平面図
【図２】本発明に係るリストバンド用クリップの一実施形態を表す側面図
【図３】図１の３−３断面図
【図４】本発明に係るリストバンド用クリップの使用例を表す部分断面図
【図５】リストバンドの一例を示す斜視図
【図６】リストバンド用クリップの変形例を示す平面図
【図７】リストバンド用クリップの変形例を示す側面図
【発明を実施するための形態】
【００１２】
以下、添付図面に従って本発明に係るリストバンド用クリップの好ましい実施形態について詳説する。
【００１３】
≪リストバンド用クリップの構成≫
図１、図２は、それぞれ本発明に係るリストバンド用クリップの一実施形態を表す平面図、側面図である。また、図３は、図１の３−３断面図である。
【００１４】
本実施形態のリストバンド用クリップ１０は、２つのバンド穴にピンを通して、リストバンドを環状に巻き止めるタイプのものである。
【００１５】
図１〜図３に示すように、実施形態のリストバンド用クリップ１０は、オスクリップ本体１２と、メスクリップ本体１４と、オスクリップ本体１２とメスクリップ本体１４とを折り畳み可能に連結するヒンジ１６とで構成される。このリストバンド用クリップ１０は、弾性を有する樹脂材料によって全体が一体的に形成されている。
【００１６】
オスクリップ本体１２は、扁平な薄板状に形成され、その平面形状は、同じ径を有する２つの円の一部を重ねて並べた形状（８の字形状）に形成されている。
【００１７】
オスクリップ本体１２の上面（メスクリップ本体１４と重ね合わされる面）には、各円の中心位置にピン１８、１８が垂直に立設されている。
【００１８】
ピン１８は、所定高さを有する円柱状に形成されている。このピン１８は、使用するリストバンドのバンド穴に対応して形成され、その外径はバンド穴の内径と略同じ径（あるいは、若干小さい径）で形成されている（バンド穴が長穴形状の場合は、その短径に対応して形成される。）。
【００１９】
ピン１８の先端部には、クビレ部２０が形成され、このクビレ部２０によってピン１８の頂部に頭部２２が形成されている。
【００２０】
クビレ部２０は、ピン１８の基端部（図２及び図３における下端部）から所定高さの位置に形成され、ピン１８の軸方向に所定の幅をもって形成される。また、後述するように、その外径はメスクリップ本体１４に形成されるピン孔３４の内径と略同じ径に形成される。
【００２１】
頭部２２は、半球状に形成され、クビレ部２０の外周から張り出すようにして傘状に形成されている。後述するように、この頭部２２はピン孔３４の逆止部として機能し、その基端部の端面は、オスクリップ本体１２の上面と平行になるように平坦に形成されている。
【００２２】
また、ピン１８の外周には、クビレ部２０の下部位置に４つの係止片２４、２４、…が、放射状に張り出して形成されている。各係止片２４は、矩形の板片状に形成され、ピン１８の基端部から所定高さの位置に形成されている。
【００２３】
この係止片２４は、リストバンド用クリップ１０をリストバンドに取り付ける際、ピン１８を通したバンド穴が、ピン１８から外れるのを防止する機能（リストバンドに仮止めしておく機能）を提供する。したがって、係止片２４の突出量は、バンド穴の径に対応して設定され、ピン１８の中心から先端までの距離（半径）が、バンド穴の半径（バンド穴が長穴の場合は短径の半径）よりも大きくなるように設定される。
【００２４】
なお、本例において、各係止片２４は、その先端がピン１８の基端部から先端部に向かって下り勾配を呈するよう傾斜して形成される。これにより、ピン１８をバンド穴に通す際、通しやすくすることができ、かつ、バンド穴を通した後は、抜けにくくなる。
【００２５】
メスクリップ本体１４は、所定厚さを有する扁平な板状に形成され、その平面形状は、オスクリップ本体１２の平面形状に対応して形成されている（同じ径を有する２つの円の一部を重ねて並べた形状（８の字形状））。
【００２６】
メスクリップ本体１４の上面（オスクリップ本体１２と重ね合わされる面と逆側の面（図１、２において下側の面））には、各円の中心位置に円形状の収容孔３０、３０が形成されている。この収容孔３０、３０は、オスクリップ本体１２に形成されたピン１８、１８と同じ間隔で形成され、所定の内径をもって形成されている。
【００２７】
収容孔３０の内部には、半球状のフラップ部３２が形成されている。フラップ部３２は、所定の板厚をもって形成され、ピン１８の挿入方向に凸となるように膨出して形成されている。したがって、フラップ部３２の内部には、ドーム状の空間が形成されることになる。
【００２８】
フラップ部３２の中央には、ピン１８が嵌められるピン孔３４が形成されている。ピン孔３４は、ピン１８の外径と略同じ径で形成される。
【００２９】
また、フラップ部３２には、２本のスリット３６が放射状に形成されている。フラップ部３２は、このスリット３６により、径方向への弾性変形が可能になり、これにより、フラップ部３２の中央に形成されたピン孔３４が拡縮可能に形成される。
【００３０】
なお、本例において、フラップ部３２は、収容孔３０の基端部（図２及び図３において上端部）から先端部に向かって膨出するように形成され、その先端（ピン孔３４の上縁部を形成する端面）は平坦に形成されている。また、フラップ部３２の先端の位置は、収容孔３０の先端部よりも低くなるように設定され、ピン１８を嵌めた際に、ピン１８の頭部２２が収容孔３０の先端部から突出しないように形成されている。
【００３１】
ヒンジ１６は、オスクリップ本体１２とメスクリップ本体１４とを折り畳み可能に連結する。オスクリップ本体１２とメスクリップ本体１４とは対称に配置され、互いに中央部分をヒンジ１６で連結される。
【００３２】
ヒンジ１６は、屈曲可能な薄板状に形成され、その中央部に貫通孔３８が形成されるとともに、その貫通孔を挟んで対称にクビレ４０が形成されている。ヒンジ１６は、このような貫通孔３８及びクビレ４０を形成することにより、中央部分で屈曲しやすくすることができる。
【００３３】
オスクリップ本体１２とメスクリップ本体１４は、図４に示すように、ヒンジ１６を中央部分で折り曲げることにより折り畳まれ、互いに重ね合わされる。この折り畳む動作によって、オスクリップ本体１２に形成された２つのピン１８が、メスクリップ本体１４に形成された２つのピン孔３４に嵌め込まれる。
【００３４】
本実施の形態のリストバンド用クリップ１０は、以上のように構成される。
【００３５】
なお、上記のように、本実施の形態のリストバンド用クリップ１０は、弾性を有する樹脂材料によって全体が一体的に形成される。これにより、スリット３６を形成したとき、フラップ部３２が弾性変形可能な部位になる。
【００３６】
使用する樹脂材料としては、たとえば、ポリエチレン、ポリプロピレン、ポリ塩化ビニル、ポリスチレン、ポリ酢酸ビニル、アクリロニトリル−ブタジエン−スチレン樹脂、アクリロニトリル−スチレン樹脂、アクリル樹脂、ポリテトラフルオロエチレンのほか、ポリテトラフルオロエチレン、熱可塑性エラストマー、ゴム、ウレタンのような、弾性を有する樹脂材料およびこれらの混合物を用いることができる。
【００３７】
また、樹脂材料の硬度（弾性係数）は、弾性変形を容易とする程度が好ましく、たとえば、リストバンドと同程度か、それ以下の弾性材料を用いることが好ましい。
【００３８】
樹脂材料としてポリエチレンを主体とする樹脂を用いることが好ましい。ポリエチレンを主体とした樹脂を、射出成形法、押出成形法、圧縮成形法などの樹脂成形法によりリストバンド用クリップ全体を一体的に形成することができる。
【００３９】
また、リストバンド用クリップ１０は、人の肌に触れるものであるため、肌に触れた際、違和感がないように全体が丸みを帯びて形成されることが好ましい。具体的には、角部がＲ面取りされる。また、メスクリップ本体１４については、外形を構成する２つの円ごとに表面に凸となるような半球状に形成されている。また、ヒンジ１６については、クビレ４０が円弧状に形成されている。
【００４０】
実施形態のリストバンド用クリップを構成する樹脂材料には、苦味成分が配合されている。苦味とは、ヒトの舌が感じる味覚であり、苦味成分は、ヒトに嚥下に対する拒否反応を起こさせる成分の一つである。苦味成分として、カフェイン、テオブロミン、テルペノイド、カテキン、ニコチン、フムロン、エピカテキンなどの多くの化合物が知られている。実施形態のリストバンド用クリップを形成する樹脂材料に配合される苦味成分として、安息香酸デナトニウム（デナトニウムベンゾエート、以下、「ＤＢ」と称する。）またはサッカリンデナトニウム（デナトニウムサッラライド、以下、「ＤＳ」と称する。）が挙げられる。ＤＢおよびＤＳは、極微量でヒトに強烈な苦味を感じさせる成分であり、人体への健康被害が少ないことで知られている。
【００４１】
リストバンド用クリップへの苦味成分の適用は、まず樹脂材料でリストバンド用クリップを一体的に成形し、この表面に苦味成分を塗布することにより行うことができる。しかしリストバンド用クリップの製造において表面への塗布加工という工程が一つ増えることにより、製造コストの上昇を招く可能性がある。また、塗布加工により設けられた苦味成分は、リストバンド用クリップの使用までに経時的に剥がれ落ちる可能性があり、使用に際して誤飲防止の効果を発揮しないおそれがある。このような問題の発生を防ぐために、苦味成分を樹脂材料に配合することが特に好ましい。苦味成分は、リストバンド用クリップの樹脂材料１００重量部に対し、０．０１〜５重量部、好ましくは０．０５〜０．５重量部配合することができる。
【００４２】
また、リストバンド用クリップは、人の肌に直接接触する態様で使用されるので、抗菌処理を施すことが好ましい。抗菌処理は、たとえば、樹脂材料への抗菌剤の練り込みや、抗菌コートを施すことにより行うことができる。樹脂材料への抗菌剤の練り込みは、樹脂材料に対し抗菌剤マスターバッチを混練することで行うことができる。一方抗菌コートは、塗膜機能を有する樹脂や溶剤（塗料の展色剤と同様のもの）に抗菌剤を混合したものを用いることができる。これらの処理により、リストバンド用クリップ上の細菌の増殖を抑制することができる。苦味成分の適用と同様、樹脂材料に抗菌剤を配合することが特に好ましい。
【００４３】
抗菌剤の材料としては、無機系抗菌剤（たとえば、銀、銅、亜鉛化合物）、有機系抗菌剤、合成系抗菌剤、天然系抗菌剤（たとえば、フィトンチッド、ヒノキチオール）を用いることができる。一例として、Ｎ−アルキルジアミノエチルグリシンなどの両性界面活性剤、陽イオン性界面活性剤、グアニジン系殺菌剤などの抗菌作用、殺菌作用が良好なものを用いることができる。また、防腐剤、防カビ剤などの他の成分を抗菌剤に代えてあるいは抗菌剤とともに用いることもできる。抗菌剤は、リストバンド用クリップの樹脂材料１００重量部に対し、１〜１０重量部、好ましくは３〜５重量部配合することができる。
【００４４】
リストバンド用クリップは、このほか、二酸化炭素削減物質を含んでいてもよい。二酸化炭素削減物質とは、（１）内部の空隙等に二酸化炭素を物理的に吸着固定化することができる構造を有している物質、あるいは、（２）燃焼等の高温下で代表的な温室効果ガスである二酸化炭素と化学反応することによりこれを吸収して固定化することができる物質、または（３）燃焼の際に、共に燃焼している物質から発生する可燃性ガスに作用してこれと共に二酸化炭素を炭化させることができる物質を主に意味する。二酸化炭素削減物質を含むリストバンド用クリップは、焼却廃棄の際に二酸化炭素を多く発生させないので、環境への負荷が低い。二酸化炭素削減物質は、ポリエチレン、ポリプロピレン等のポリオレフィン、ポリエステル、ポリ塩化ビニル、またはエチレン酢酸ビニル共重合体等の熱可塑性樹脂に配合したマスターバッチの形態で、リストバンド用クリップの樹脂材料と混合することができる。二酸化炭素削減物質は、リストバンド用クリップの樹脂材料１００重量部当たり１〜１０重量部、好ましくは３〜５重量部配合することができる。
【００４５】
二酸化炭素削減物質として、金属水酸化物、金属酸化物、アルミノケイ酸塩、チタン酸化合物、またはリチウムケイ酸塩を用いることができ、これらの中から任意に２以上を選択して用いることもできる。金属水酸化物として、水酸化ナトリウム、水酸化カルシウム、水酸化リチウム、水酸化マグネシウム、水酸化バリウム等が挙げられる。金属酸化物として、酸化マグネシウム、酸化カルシウム、酸化カリウム、酸化亜鉛等が挙げられる。またアルミノケイ酸塩として、アルミノシリケート、ゼオライト等が挙げられる。チタン酸化合物としてチタン酸バリウム、オルソチタン酸バリウム等が挙げられる。リチウムケイ酸塩として、リチウムシリケート等が挙げられる。このほか、有機化合物の二酸化炭素削減物質も好適に用いることができ、たとえばテレフタル酸カリウム熱分解物、ココナツ中果皮繊維を挙げることができる。
【００４６】
二酸化炭素削減物質を熱可塑性樹脂と混合してマスターバッチとして用いる場合、該二酸化炭素削減物質が両親媒性脂質の脂質二重層内に取り込まれた状態で混合することもできる。ここで両親媒性脂質とは、一分子内に親水基と親油基とを有する脂質のことである。両親媒性脂質の例としてリン脂質が挙げられ、たとえば、ホスファチジルコリン、ジミリストイルホスファチジルコリン、ホスファチジルエタノールアミン、ホスファチジルイノシトール、ホスファチジルグリセロール、ジホスファチジルグリセロール、スフィンゴミエリンを挙げることができる。両親媒性脂質は自己組織化によって水中あるいは有機溶媒中で脂質二重層を形成することができるが、この脂質二重層内に二酸化炭素削減物質を取り込んだ状態で熱可塑性樹脂と混合することができる。たとえば、アルミノ珪酸ナトリウムとリン酸２，２’−メチレンビス（４，６−ジ−ｔ−ブチルフェニル）ナトリウムとが内包されたホスファチジルコリンリポソーム（ナノベシクルカプセル）を用いることができる。このようにして、二酸化炭素削減物質を熱可塑性樹脂中により均一に分散させたマスターバッチを形成することができる。
【００４７】
≪リストバンド用クリップの使用方法≫
図５は、実施形態のリストバンド用クリップ１０の使用方法の一例を、巻き止められるリストバンド１とともに３示す斜視図である。
【００４８】
同図に示すように、このリストバンド１は、表示部２と、表示部２の両側に延びるバンド部３、４とで構成される。
【００４９】
表示部２は、バンド部３、４に比して幅広に形成され、所定の情報（病院で使用される場合は、患者名、科名、病棟名、血液型、バーコード、二次元コードなどの情報）が印字されている。
【００５０】
表示部２の両側に延びるバンド部３、４は、左右異なる長さで形成され、短い方のバンド部３には、２つのバンド穴６、６が一定の間隔をもって形成されている。一方、長い方のバンド部４には、複数のバンド穴７、７、…が一定の間隔をもって形成されている。このバンド部３、４に形成されているバンド穴６、７の形成間隔は、リストバンド用クリップ１０に形成される２つのピン１８の間隔と同じ間隔に設定されている。また、その径は、ピン１８の外径と略同じ径で形成されている。
【００５１】
短い方のバンド部３に形成されているバンド穴６、６は、リストバンド用クリップ１０をセットするためのバンド穴であり、長い方のバンド部４に形成されているバンド穴７、７、…は、リストバンド１の長さ調整用のバンド穴である。以下、短い方のバンド部３に形成されているバンド穴６、６については、長い方のバンド部４に形成されているバンド穴７、７、…と区別するため、セット穴６、６と表記する。
【００５２】
なお、本例では、バンド穴（セット穴６、バンド穴７）の形状を円形状としているが、バンド穴の形状は特に限定されるものではなく、たとえば、長穴形状とすることもできる。
【００５３】
本実施の形態のリストバンド用クリップ１０を用いたリストバンド１の装着方法は、次のとおりである。
【００５４】
まず、図５に示すように、短い方のバンド部３に形成された２つのセット穴６にオスクリップ本体１２に形成された２つのピン１８を通し、リストバンド用クリップ１０をリストバンド１に取り付ける。
【００５５】
この際、ピン１８は、リストバンド１の裏面側からセット穴６に挿入する。なお、ピン１８は、その頭部２２が半球状に形成されているため、スムーズにセット穴６に通すことができる。
【００５６】
また、ピン１８は、その先端外周部に係止片２４が突出して設けられているので、この係止片２４がセット穴６を通過するまでピン１８を押し込んで、セット穴６に挿入する。これにより、ピン１８に対してセット穴６から抜ける方向の力が働いた場合であっても、係止片２４がセット穴６の周縁に係合し、容易に抜けるのが防止される。また、係止片２４は、矩形の板片状に形成され、かつ、ピン１８の外周に放射状に形成されているため、セット穴６に通す際、無理な力を掛けなくても、スムーズにセット穴に通すことができる。これにより、ピン１８をセット穴６に通す作業を簡便に行うことができるとともに、確実にセット穴６に通すことができる。
【００５７】
以上のようにして、リストバンド用クリップ１０をリストバンド１に取り付けたのち、リストバンド１を手首に巻き付ける。そして、リストバンド１が緩みなく手首に巻き付くように、長い方のバンド部４に形成されたバンド穴７を選択し（隣り合う一組のバンド穴を選択する）、その選択したバンド穴７にピン１８を通す。この場合も、ピン１８は、係止片２４がバンド穴７を通過するまで押し込んで、バンド穴７に挿入する。この作業は片手での作業になるが、上記のように、ピン１８は無理な力を掛けなくても、スムーズに係止片２４を乗り越えさせて、バンド穴７に挿入することができる。これにより、確実にピン１８をバンド穴７に通すことができる。
【００５８】
係止片２４を通過するまでピン１８を通すことにより、係止片２４がバンド穴７の周縁部に係合し、リストバンド１が外れるのが防止される。すなわち、仮止めされる。
【００５９】
この後、ヒンジ１６によってメスクリップ本体１４をオスクリップ本体１２に向けて折り畳む。
【００６０】
メスクリップ本体１４をオスクリップ本体１２に向けて折り畳むと、図４に示すように、メスクリップ本体１４に形成されたピン孔３４にピン１８が嵌め込まれる。
【００６１】
ここで、ピン孔３４は、ピン１８よりも小さい径で形成されるが（ピン１８に形成されたクビレ部２０と略同じ径で形成）、拡縮可能に形成されているため、拡径しながらピン１８が挿入される。そして、ピン１８がクビレ部２０まで挿入されると、縮径してピン１８のクビレ部２０に嵌合する（正確には、ピン孔３４を形成するフラップ部３２の先端部がクビレ部２０に嵌合する）。これにより、ピン１８の軸方向の移動が規制され、ピン１８がピン孔３４から抜けるのが防止される。
【００６２】
また、上記のように、ピン孔３４は、一度拡径したのち縮径してピン１８のクビレ部２０に嵌まるが、クビレ部２０に嵌まる際、その内周の縁部でクビレ部２０の壁面を打つ。これにより、音（係合音）が鳴り、ピン１８がピン孔３４に嵌まったことを明確に認識することができる。
【００６３】
また、上記のように、ピン１８は、セット穴６及びバンド穴７に通す際、確実に係止片２４を通過させて挿入することができるため、ピン１８をピン孔３４に嵌めても、リストバンド１の生地を噛み込むことがない。これにより、確実にピン１８をピン孔３４に嵌めることができる。また、無理な力を掛けずにピン１８をピン孔３４に嵌めることができる。さらに、確実に係合音を鳴らすことができ、ピン１８がピン孔３４に嵌まったことを確実に了知することができる。
【００６４】
ピン孔３４に嵌まったピン１８は、図４に示すように、頭部２２のみがフラップ部３２から突出する。この頭部２２は、メスクリップ本体１４の表面からは突出することなく、収容孔３０に完全に収容される。これにより、引っ掛かり等が発生するのを防止できるとともに、肌に接触したときなどに違和感が生じるのを防止できる。
【００６５】
以上一連の作業でリストバンド１の装着が完了する。リストバンド１を巻き止めたリストバンド用クリップ１０は、ピン１８がピン孔３４から抜けることがないため、確実にリストバンド１を手首に装着することができる。また、生地を噛み込むことなく取り付けることができるため、途中で外れることもない。
【００６６】
≪リストバンド用クリップのその他の実施形態≫
図６、図７は、リストバンド用クリップの変形例を示す平面図、側面図である。
【００６７】
同図に示すように、本例のリストバンド用クリップ１００は、１つのバンド穴にピンを通して、リストバンドを環状に巻き止めるタイプのものである。
【００６８】
このように、オスクリップ本体１１２に形成するピン１１８の数は、特に限定されるものではなく、１つとすることもできる。この場合、メスクリップ本体１１４に形成するピン孔１３４も１つとされる（図６）。
【００６９】
なお、上記実施形態で示したリストバンド用クリップ１０のように、２つのピン１８を備え、２つのバンド穴にピンを通して、リストバンドを環状に巻き止める構成とすることにより、装着したリストバンドが、ピンを軸に回動するのを防止でき、リストバンドの装着性を向上させることができる。
【００７０】
また、本例のリストバンド用クリップ１００は、上記実施の形態のピン１８のようにクビレ部を形成せずに一定の太さで形成している。この場合、ピン１８の外径は、ピン孔３４の内径と略同じ径で形成される。
【００７１】
このように、ピンには必ずしもクビレ部を設ける必要はないが、クビレ部を形成することにより、ピンの剛性を高めることができる。また、ピンに突出して形成される係止片の突出量も抑えることができ、係止片の剛性も確保することができる。
【００７２】
また、本例のリストバンド用クリップ１００は、３つの係止片１２４を放射状に配置している。このように、係止片は必ずしも４つである必要はなく、バンド穴の抜けを防止可能に形成されていればよい。したがって、少なくとも２つ形成されていればよい。
【００７３】
また、本例のリストバンド用クリップ１００は、フラップ部１３２の４箇所にスリット１３６を形成している。このように、スリット１３６の形成数は、特に限定されるものではなく、フラップ部１３２を弾性変形させることができるように形成されていればよい。なお、スリットの数が多すぎると、ピンがピン孔から抜けやすくなるため、必要最小限の数に留めることが好ましい。
【００７４】
また、符号１１６はヒンジであり、符号１３８は、ヒンジ１１６に設けられた貫通孔である。
【００７５】
なお、図示を省略するが、ヒンジ１１６は、貫通孔１３８を省略し、幅方向（図６における上下方向）にわたって断面Ｕ字型の溝を形成することもできる。すなわち、折り畳みの際、伸張する側（図７における下端側）に断面Ｕ字型（図７で説明すると、逆Ｕ字型、図７には図示せず）の溝を形成することにより、折り畳む際に折れ曲げやすくするとともに、外部に突出する突起部分を減少させることができるものである。
【００７６】
上記は一例であって、ヒンジ１１６には、上記実施の形態のヒンジ１６に形成したクビレ４０を設け、そのクビレ４０の間の貫通孔１３８を省略して、上記の断面Ｕ字型の溝を設けるようにしてもよい。
【００７７】
図６および図７のリストバンド用クリップを構成する樹脂材料として、たとえば、ポリエチレン、ポリプロピレン、ポリ塩化ビニル、ポリスチレン、ポリ酢酸ビニル、アクリロニトリル−ブタジエン−スチレン樹脂、アクリロニトリル−スチレン樹脂、アクリル樹脂、ポリテトラフルオロエチレンのほか、ポリテトラフルオロエチレン、熱可塑性エラストマー、ゴム、ウレタンのような、弾性を有する樹脂材料およびこれらの混合物を用いることができる。図６および図７のリストバンド用クリップを構成する樹脂材料には、苦味成分が配合されている。苦味成分として、カフェイン、テオブロミン、テルペノイド、カテキン、ニコチン、フムロン、エピカテキンなどのほか、安息香酸デナトニウム（ＤＢ）またはサッカリンデナトニウム（ＤＳ）を挙げることができる。
【００７８】
さらに図６および図７のリストバンド用クリップは、抗菌剤を含んでいてよい。抗菌剤の材料としては、無機系抗菌剤（たとえば、銀、銅、亜鉛化合物）、有機系抗菌剤、合成系抗菌剤、天然系抗菌剤（たとえば、フィトンチッド、ヒノキチオール）を用いることができる。一例として、Ｎ−アルキルジアミノエチルグリシンなどの両性界面活性剤、陽イオン性界面活性剤、グアニジン系殺菌剤などの抗菌作用、殺菌作用が良好なものを用いることができる。また、防腐剤、防カビ剤などの他の成分を抗菌剤に代えてあるいは抗菌剤とともに用いることもできる。
【００７９】
さらに図６及び図７のリストバンド用クリップは、二酸化炭素削減物質を含んでいてよい。二酸化炭素削減物質として、金属水酸化物、金属酸化物、アルミノケイ酸塩、チタン酸化合物、またはリチウムケイ酸塩を用いることができ、これらの中から任意に２以上を選択して用いることもできる。金属水酸化物として、水酸化ナトリウム、水酸化カルシウム、水酸化リチウム、水酸化マグネシウム、水酸化バリウム等が挙げられる。金属酸化物として、酸化マグネシウム、酸化カルシウム、酸化カリウム、酸化亜鉛等が挙げられる。またアルミノケイ酸塩として、アルミノシリケート、ゼオライト等が挙げられる。チタン酸化合物としてチタン酸バリウム、オルソチタン酸バリウム等が挙げられる。リチウムケイ酸塩として、リチウムシリケート等が挙げられる。このほか、有機化合物の二酸化炭素削減物質も好適に用いることができ、たとえばテレフタル酸カリウム熱分解物、ココナツ中果皮繊維を挙げることができる。二酸化炭素削減物質を熱可塑性樹脂と混合してマスターバッチとして用いる場合、該二酸化炭素削減物質が両親媒性脂質の脂質二重層内に取り込まれた状態で混合することもできる。ここで両親媒性脂質とは、一分子内に親水基と親油基とを有する脂質のことである。両親媒性脂質の例としてリン脂質が挙げられ、たとえば、ホスファチジルコリン、ジミリストイルホスファチジルコリン、ホスファチジルエタノールアミン、ホスファチジルイノシトール、ホスファチジルグリセロール、ジホスファチジルグリセロール、スフィンゴミエリンを挙げることができる。両親媒性脂質は自己組織化によって水中あるいは有機溶媒中で脂質二重層を形成することができるが、この脂質二重層内に二酸化炭素削減物質を取り込んだ状態で熱可塑性樹脂と混合することができる。たとえば、アルミノ珪酸ナトリウムとリン酸２，２’−メチレンビス（４，６−ジ−ｔ−ブチルフェニル）ナトリウムとが内包されたホスファチジルコリンリポソーム（ナノベシクルカプセル）を用いることができる。このようにして、二酸化炭素削減物質を熱可塑性樹脂中により均一に分散させたマスターバッチを形成することができる。
【００８０】
図６および図７のリストバンド用クリップが苦味成分、抗菌剤、二酸化炭素削減物質を含む場合、リストバンド用クリップを構成する樹脂材料にこれらの成分を練り込んで配合することが特に好ましい。
【００８１】
本実施形態のリストバンド用クリップは、主に患者（ヒトおよび動物を含む）の識別のために用いられるリストバンド用クリップとして用いられるほか、たとえば、遊園地、美術館、博物館等の入場券の機能を備えるリストバンド用クリップとしても用いることができる。そのほか、コンサート会場の入退場証、ファンクラブ会員証、乗物用乗車券、団体旅行参加証等の、個人の識別のために用いられるリストバンド用クリップとして好適に用いられる。
【実施例】
【００８２】
［実施例１］
ポリエチレンペレットと、苦味成分である安息香酸デナトニウム（ＤＢ）の粉末と、抗菌剤として銀系無機抗菌剤とを自動混合装置に投入しドライブレンドした。次いで７０℃で３時間以上乾燥した。得られた樹脂ブレンドを射出成形機に投入し、約１４５℃、タクト２５秒間／１ショットの条件下で射出成形して、苦味成分含有リストバンド用クリップを得た。
なお、ＤＢ粉末は、ポリエチレンペレット１００重量部に対し、０．００５重量部、０．０２５重量部、０．０５０重量部、０．１００重量部となるように秤量し、抗菌剤は、ポリエチレンペレット１００重量部に対し５重量部となるように秤量した。
【００８３】
得られたリストバンド用クリップを人が舐めて、味を確かめた。０．００５重量部の苦味成分が含まれているリストバンド用クリップは、苦味がわずかに感じられた。０．０２５重量部の苦味成分が含まれているリストバンド用クリップは、舌で舐めただけでは苦味はわずかに感じられるのみであるが、口に含み舐めると苦味が感じられた。０．０５０重量部の苦味成分が含まれているリストバンド用クリップは、舌で舐めただけで苦味が感じられた。０．１００重量部の苦味成分が含まれているリストバンド用クリップは、舌で舐めただけで苦味が強く感じられた。リストバンド用クリップの誤飲を防止する効果を発揮するためには、樹脂マスターバッチ１００重量部に対し、少なくとも０．０２５重量部以上の苦味成分を含ませると良いことがわかった。
【００８４】
［実施例２］
実施例１と同様に、ＤＢが０．０５０重量部含まれているリストバンド用クリップを作成した。一方、苦味成分を入れないこと以外は実施例１１と同様にして、苦味成分が含まれていないリストバンド用クリップを作成した。これらのリストバンド用クリップを、皮膚に２４時間貼付し、肉眼およびレプリカ法による顕微鏡により、皮膚に異常が起きていないかどうかを判定する試験を行った。
皮膚貼付試験の結果は、苦味成分が含まれているリストバンド用クリップと、苦味成分が含まれていないリストバンドクリップとで差が見られなかった。
苦味成分が配合されている本発明のリストバンド用クリップは、従来品と同様に使用することができ、かつ、これに含まれている苦味成分は、誤飲を防止することができると考えられる。
【符号の説明】
【００８５】
１…リストバンド、２…表示部、３…バンド部（短）、４…バンド部（長）、６…セット穴（バンド穴）、７…バンド穴、１０…リストバンド用クリップ、１２…オスクリップ本体、１４…メスクリップ本体、１６…ヒンジ、１８…ピン、２０…クビレ部、２２…頭部、２４…係止片、３０…収容孔、３２…フラップ部、３４…ピン孔、３６…スリット、３８…貫通孔、４０…クビレ、１００…リストバンド用クリップ、１１２…オスクリップ本体、１１４…メスクリップ本体、１１８…ピン、１２４…係止片、１３２…フラップ部、１３４…ピン孔、１３６…スリット、１３８…貫通孔
【図１】
2020005926.tif 000003
【図２】
2020005926.tif 000004
【図３】
2020005926.tif 000005
【図４】
2020005926.tif 000006
【図５】
2020005926.tif 000007
【図６】
2020005926.tif 000008
【図７】
2020005926.tif 000009